(57)【特許請求の範囲】
【請求項１】
前面板、後面板、左側面板、右側面板、天板、底板を備えた箱形状をし、前面板上端部に形成される開口部に、上端部が支軸を介して後上方に向けて開閉揺動自在に軸支されると共に第一付勢弾機を介して閉鎖姿勢に弾持された蓋体を備えて構成される郵便受けにおいて、前記開口部下縁には、前高後低状に傾斜した第一傾斜板を後面板側に向けて設け、前面板の裏面側には、前記第一傾斜板よりも下側に位置して前低後高状に傾斜していて、先端が前記第一傾斜板の傾斜延長線を越えない位置に位置するようにして設けられた第二傾斜板と、該第二傾斜板よりも下方位置でかつ第二傾斜板先端位置よりも前面板側に偏倚した支軸を介して軸支され、前半部が第二傾斜板によって覆蓋される状態で前低後高状に傾斜して郵便受けに投入された配達物の開口部からの視認を遮蔽する遮蔽姿勢と、該遮蔽姿勢から後下方に向けて揺動して配達物の差し入れを可能にする下方揺動姿勢とのあいだを揺動変姿する防犯板と、該防犯板を遮蔽姿勢側に向けて付勢する第二付勢弾機とを設けたことを特徴とする郵便受け。
【発明の詳細な説明】
【技術分野】
【０００１】
本発明は、配達された郵便物やメール便等の抜き取り防止機構を備えた郵便受けの技術分野に属するものである。
【背景技術】
【０００２】
今日、パンフレットやカタログ、ＤＶＤといった大型・高額の配達物が郵便やメール便で送られることが多くなり、そこで郵便受けの奥行きを深くすると共に差入口を大きくすることで配達物を郵便受け内に入れやすくかつ完全に入るように配慮したものが提供されている。
しかし、奥行きの深い郵便受けは、壁面に取り付けた場合は前面に大きく張り出してしまうという問題があり、また壁に埋め込んだ場合は壁内部に大きな埋め込みスペースが必要となり、特にビルやマンションやなどの集合住宅では、郵便受けをエレベーターホールや廊下の壁に複数個設置していることが多く、奥行き確保の面で問題があった。
さらに、差入口の大きい郵便受けは、差入口に手を入れやすく、該差入口から手を入れて中の配達物を盗み取られてしまうといった問題があった。
【０００３】
そこで、郵便受け自体を上下方向長尺状にすることで奥行きを浅くし、さらに盗難防止のため、郵便受け天板に前低後高状に傾斜した防犯板を垂下させて設けると共に、前面板上端部を前低後高状に傾斜させた傾斜面を有した郵便受けが知られている（例えば、特許文献１参照）。
そしてこのものは、前記防犯板と傾斜面とが設けられることで、手を郵便受け内に入れて配達物を抜き取ることが難しくなるよう配慮しているが、大型で厚みのある配達物や、可撓性の低い固い配達物を郵便受け内に入れようとしたときに、該配達物は前記防犯板と傾斜面とのあいだを通して郵便受け内に入れることになるが、このとき配達物が郵便受けの後面部に突き当たって入れにくく、場合によっては完全に郵便受けの内部に入らないといった問題がある。
これに対し、郵便受けに対し、弾機に抗する状態で後方揺動して開放する投入口を前方に張り出し形成する一方、投入口の張り出し基端下部に、常時は前低後高状に傾斜した盗難防止用の塞ぎ板を設け、該塞ぎ板を、配達物の投入時は弾機に抗して下方揺動するようにし、配達物の投入後に塞ぎ板が前低後高状に復帰して配達物をオーバーハング状に隠すことで盗難防止するようにしたものが知られている（特許文献２参照）。
【先行技術文献】
【特許文献】
【０００４】
【特許文献１】実用新案登録第３１３４０２３号公報
【特許文献２】実用新案登録第３０００９７８号公報
【発明の概要】
【発明が解決しようとする課題】
【０００５】
ところでこの配達物をオーバーハング状に隠すことで盗難防止を図るようにしたものは、前方に張り出した投入口により下方に向けた付勢力を受けると共に、上方に向けて付勢される塞ぎ板の回動軸部に当接する状態で投入されるため、配達物は、寝かせられた状態で投入されることになるため、郵便受けに完全に投入する縦姿勢で投入することが難しく、配達物が郵便受け後面板に突き当たった中途半端な投入姿勢になりやすくなって盗難防止という面で劣るといった問題がある。
そこで該塞ぎ板を設けたものについて、投入口を、張り出しのない構成にすることが提唱される。ところがこの場合、配達物は、投入口から投入した直後の段階から塞ぎ板により上方に向けて付勢されることになるため投入しづらいだけでなく、中途半端な投入になりやすく、依然として盗難防止という面で劣るといった問題があり、これらに本発明の解決すべき課題がある。
【課題を解決するための手段】
【０００６】
本発明は、上記の如き実情に鑑みこれらの課題を解決することを目的として創作されたものであって、請求項１の発明は、前面板、後面板、左側面板、右側面板、天板、底板を備えた箱形状をし、前面板上端部に形成される開口部に、上端部が支軸を介して後上方に向けて開閉揺動自在に軸支されると共に第一付勢弾機を介して閉鎖姿勢に弾持された蓋体を備えて構成される郵便受けにおいて、前記開口部下縁には、前高後低状に傾斜した第一傾斜板を後面板側に向けて設け、前面板の裏面側には、前記第一傾斜板よりも下側に位置して前低後高状に傾斜していて、先端が前記第一傾斜板の傾斜延長線を越えない位置に位置するようにして設けられた第二傾斜板と、該第二傾斜板よりも下方位置でかつ第二傾斜板先端位置よりも前面板側に偏倚した支軸を介して軸支され、前半部が第二傾斜板によって覆蓋される状態で前低後高状に傾斜して郵便受けに投入された配達物の開口部からの視認を遮蔽する遮蔽姿勢と、該遮蔽姿勢から後下方に向けて揺動して配達物の差し入れを可能にする下方揺動姿勢とのあいだを揺動変姿する防犯板と、該防犯板を遮蔽姿勢側に向けて付勢する第二付勢弾機とを設けたことを特徴とする郵便受けである。
【発明の効果】
【０００７】
請求項１の発明とすることにより、開口部Ｈに差し込まれた配達物は、第一傾斜板に案内されながら、先端が第一傾斜板の傾斜延長線上に位置する防犯板を遮蔽姿勢から下方揺動姿勢へ揺動させて差し込まれるため、配達物を傾斜姿勢が維持された状態で郵便受け内に差し込むことができ、差込不良を回避し、盗難を防止することができる。
【図面の簡単な説明】
【０００８】
【図１】郵便受けの正面図である。
【図２】扉（前面板）を内側から見た正面図である。
【図３】図１の郵便受けのＡ−Ａ断面図である。
【図４】郵便受けの要部拡大断面図である。
【図５】郵便受けに配達物を差し入れている状態を示す要部拡大断面図である。
【図６】郵便受けに配達物が差し入れられた後の状態を示す要部拡大断面図である。
【発明を実施するための形態】
【０００９】
以下、本発明の実施の形態について、図面に基づいて説明する。図面において、１は郵便受けであって、該郵便受け１は前面板２と後面板３ａ、左側面板３ｂ、右側面板３ｃ、天板３ｄ、底板３ｅからなる箱部３とを備えた箱形状のものである。前面板２はその全体が配達物を取り出すための扉となっていて、該扉（前面板）２は郵便受け１の箱部３の左右方向一側開口端部に対して丁番４を介して開閉自在に取り付けられた開き戸である。そして、該扉２の上端部には、左右両面部２ａを残して開口部Ｈが切欠き形成され、該開口部Ｈを覆蓋するように蓋体５が設けられている。蓋体５の上端部の左右両端には、軸孔５ａが穿設された一対の耳片５ｂが箱部３内方（後方）に向けて突設されている。
一方、扉２の裏面の該開口部Ｈの左右端には一対の軸受片６が設けられている。該軸受片６は、上端部に軸孔６ａが穿設された支持片６ｂ、該支持片６ｂから扉２の上端部の内向面に沿うように折曲げ形成された連結片６ｃ、該連結片６ｃの先端部から水平状に突出した突片６ｄが設けられたものとして構成されている。
そして、蓋体５は、前記軸孔５ａ、６ａに貫通支持した支軸７に前後揺動自在に軸支されている。また、支軸７には一対の第一付勢弾機７ａが外嵌されるが、該第一付勢弾機７ａの一端部は軸受片６の突片６ｄに、他端部は蓋体５の裏面に押し当てられている。これによって、蓋体５は、扉２に押し付けられて開口部Ｈを閉鎖する閉鎖姿勢に付勢され、この閉鎖姿勢を保持するように構成されている。そして、蓋体５は、配達物を郵便受け１に入れる際に配達物が蓋体５を押す力、つまり、外側から押圧される負荷が作用することにより、第一付勢弾機７ａの付勢力に抗して開放姿勢となるように構成されている。
なお、蓋体５の閉鎖姿勢において、扉２の表面２ｄと蓋体５の表面５ｆとは略面一状となるように設けられている。
【００１０】
さらに、蓋体５の下端には、略Ｌ字状の段差面部５ｃが箱部３内方に向けて延出形成され、該段差面部５ｃからは、前高後低状の傾斜面部５ｄがさらに延出形成されており、該傾斜面部５ｄの傾斜下面には緩衝材５ｅが一面に貼付されている。一方、扉２の開口部Ｈの下縁部には、後方に向けて略Ｌ字状に延出形成された平面部２ｂ、該平面部２ｂから後面板３ａに向けて延びた前高後低状の第一傾斜板２ｃが形成されており、蓋体５の閉鎖姿勢において、段差面部５ｃと平面部２ｂ同士が上下に隙間を存する状態で対向すると共に、傾斜面部５ｄ（緩衝材５ｅ）と第一傾斜板２ｃ同士が当接した状態となって開口部Ｈを閉鎖している。
【００１１】
一方、扉２の内面（裏面）には、第一傾斜板２ｃよりも下側に位置して後述する防犯板８と当接する前低後高状の当接板９ａを有する第二傾斜板９が設けられているが、該第二傾斜板９の両左右端には軸孔９ｂが穿設された一対の軸受片９ｃが後方（後面板３ａ方）に向けて延出形成されている。なお、該第二傾斜板９は防犯板８の左右幅よりやや大きいものとして形成されていて、当接板９ａは、防犯板８の前寄り（扉２側）半部を被覆し、先端９ｄが前記第一傾斜板２ｃの傾斜延長線を超えない位置に位置するように設けられている。
【００１２】
さらに、前記第二傾斜板９よりも下方位置であって、第二傾斜板９の先端９ｄ位置よりも扉２側に偏倚した支軸１０を介して軸支された防犯板８が、前半部が第二傾斜板９によって蓋覆される状態で前低後高状に傾斜して配設されている。該防犯板８は左右幅が蓋体５の左右幅と略同一で、前後幅は開口部Ｈから手を入れても配達物に届かない程度の長さであって、後述するように、防犯板８が下方向に揺動してもロック１１にぶつからない程度の前後長さ（前後幅）のものに設定されている。さらに該防犯板８には、前端から略Ｌ字状の段差面８ａが下方に設けて延出形成され、両左右端からは軸孔８ｂが穿設された一対の軸受片８ｃが下方に向けて延出形成されている。
そして防犯板８は、軸孔８ｂ、９ｂに貫通した支軸１０を介して上下揺動自在に軸支されるが、該支軸１０に外嵌された第二付勢弾機１０ａの一端部は防犯板８の裏面（裏下面）に、他端部は第二傾斜板９の裏面に弾圧されている。これによって、防犯板８は、第二傾斜板９の当接板９ａに押し付けられた遮蔽姿勢に向けて付勢され、郵便受け１に投入された配達物Ｍの開口からの視認を遮蔽する遮蔽姿勢を保持するように構成されている。そして、防犯板８は、配達物を箱部３内に入れる、つまり、上外側から内方に向けて押圧される負荷が作用することにより、第二付勢弾機１０ａの付勢力に抗して後下方揺動して配達物Ｍの差し入れを可能にする下方揺動姿勢となるように構成されている。
【００１３】
なお、該扉２の丁番４とは左右方向他端側に、ロック（錠装置）１１が設けられていて、他人が勝手に該扉２を開けて配達物を盗難することを防止している。さらに、該ロック１１は、本実施の形態においては前記扉２を開閉する際の把持としても用いられるが、該ロック１１は既知のものを用いることができるため、ここでは説明を省略する。
また、箱部３の底面には、すのこ１２が敷設されていて、開口部Ｈから雨が浸入した場合であっても、配達物が濡れにくいように構成され、さらに、該箱部３の前面開口部下半部には、扉２を開放したときに、箱部３内に差し入れられた配達物が落下しないよう支持する支持枠１３が設けられているが、これらすのこ１２、支持枠１３は既知のものを用いることができるため、ここでは詳細な説明を省略する。
【００１４】
次ぎに、配達物を郵便受け１内に差し入れる場合の、蓋体５、防犯板８の動き及び配達物の入り方について、説明する。
配達物Ｍを郵便受け１内に差し入れるために、まず、配達物Ｍの先端部（下部）を蓋体５に突き当てることで押圧する負荷が該蓋体５に作用し、これによって蓋体５は支軸７を支点として後方上方に向けて揺動して開放姿勢となり開口部Ｈが開く。そして配達物Ｍは、該開口部Ｈから、蓋体５を閉鎖姿勢に向けて付勢する第一付勢弾機７ａの付勢力を上奥側から受けると共に、第一傾斜板２ｃにより下奥方に向けて傾斜案内されることになる状態で郵便受け１内に差し込まれることになるが、該差し込まれた配達物Ｍの先端は、第一傾斜板２ｃの傾斜延長線上にある当接板９ａの先端９ｄに案内される前記傾斜状態となって防犯板８に当接するが、防犯板８は、揺動支軸１０が当接板９ａよりも下方で、かつ先端９ｄよりも前側に位置していて、前半部が当接板９ａに覆蓋されているため、前記差し込まれた配達物Ｍは、防犯板８の先端９ｄよりも奥側部位に当接することになる結果、防犯板８は軽い差し入れ力で第二付勢弾機１０ａに抗して下方揺動することになり、これによって配達物Ｍは、前記下奥方に傾斜した姿勢を殆ど維持する状態で差し込まれ、配達物Ｍから手を離すと、配達物Ｍは第一傾斜板２ｃ、先端９ｄ、防犯板８にガイドされる状態で自重によって前高後低の状態で箱部３内に差し込まれることになる。
【００１５】
配達物Ｍが箱部３内に差し込まれて蓋体５と当接しなくなると、蓋体５を開放姿勢に変姿する抗力がなくなり、第一付勢弾機７ａの付勢力によって蓋体５は閉鎖姿勢へと戻り、開口部Ｈは閉鎖される一方、防犯板８についてもは下方揺動姿勢から第二付勢弾機１０ａの付勢力によって、もとの遮蔽姿勢に戻る。
【００１６】
この差込み状態において、蓋体５を後方に揺動させて開口部Ｈを開放したとしても、遮蔽姿勢の防犯板８が目隠しとなって箱部３内に配達物Ｍがあるか否か、開口部Ｈから確認することが難しく、仮に防犯板８を手で下方に揺動させて開放姿勢をとったとしても、配達物Ｍの上部（後端部）は該防犯板８と扉２とのあいだに入り込むこととなる結果、開口部Ｈから手を入れ、配達物Ｍを無理やり取り出そうとしても、該防犯板８によって配達物Ｍの上部（後端部）が隠された状態となっていて、取り出すことが難しい。
【００１７】
叙述の如く構成された本発明の実施の形態において、郵便受け１に配達物Ｍを差し込む場合に、配達物Ｍを開口部Ｈに押し込んで蓋体５を後上方に揺動させることになるが、開口部Ｈに押し込まれた配達物Ｍは、上側面から蓋体５の閉鎖姿勢方向への付勢力を受けながら開口部Ｈの下端縁から前高後低状に傾斜した第一傾斜板２ｃに案内される傾斜状態で差し込まれ、そして前低後高状に傾斜した防犯板８に突き当たることになるが、該防犯板８は、第一傾斜板２ｃよりも下側に位置し、先端（後端）９ｄが第一傾斜板２ｃの傾斜延長線上に位置する第二傾斜板９に前半部が覆蓋されると共に、第二傾斜板９よりも下側に位置し、かつ第二傾斜板９の先端９ｄよりも前側に偏寄した支軸１０によって前低後高状に傾斜して郵便受けに投入された配達物Ｍの開口部Ｈからの視認を遮蔽する遮蔽姿勢と、該遮蔽姿勢から後下方に向けて揺動して配達物の差し入れを可能にする下方揺動姿勢とのあいだを揺動変姿するように構成され、しかも防犯板８は、第二付勢弾機１０ａによって遮蔽姿勢側に向けて付勢されているから、前記開口部Ｈに差し込まれて第一傾斜板２ｃに案内される傾斜状態で投入された配達物Ｍは、防犯板８の第二傾斜板９から後方に突出する後半側の面板部位を押しやる状態で差し込まれることになるため、傾斜姿勢が維持された状態での差し込みとなって差込み先端が後面板３ａに当接して差込み不良になるようなことを回避することができる。
しかもこのものでは、第二傾斜板９の先端９ｄが第一傾斜板２ｃの傾斜延長線上に位置していて、傾斜延長線を越えることがないので、配達物Ｍを差し込む場合に、配達物Ｍの先端が第二傾斜板９に突き当たって入れづらくなってしまうことも回避している。
【産業上の利用可能性】
【００１８】
本発明は、ビルや集合住宅等の建物に設けられる集合郵便受けの技術分野に利用することができる。
【符号の説明】
【００１９】
１    郵便受け
２    扉（前面板）
２ｃ  第一傾斜板
５    蓋体
７    支軸
７ａ  第一付勢弾機
８    防犯板
９    第二傾斜板
９ｄ  先端
１０    支軸
１０ａ  第二付勢弾機
Ｈ    開口部
【図１】
0005506094.tif 000002
【図２】
0005506094.tif 000003
【図３】
0005506094.tif 000004
【図４】
0005506094.tif 000005
【図５】
0005506094.tif 000006
【図６】
0005506094.tif 000007